(57)【要約】【課題】耐久性に優れた（長期間使用しても環状のねじりバネのように損傷しない意味合い）バネ部材を、合理的（安定的に作用するよう）に錠箱内に配設すること。【解決手段】内外のレバーハンドルをそれぞれ押し下げると、バネ部材のバネ力に抗して所定量回転するハンドルハブ部材を有する錠前のハンドル装置に於いて、内外のレバーハンドルは、ハンドルハブ部材に同軸上に設けられ、またハンドルハブ部材は、指先状バネ押圧部の適宜部位に錠箱の幅広側壁に沿って上下動するスライド駆動板に係合する係合部を有し、さらに、バネ部材は、錠箱に固定されたバネ支持固定体のバネ端支持壁と該バネ支持固定体の開口に摺動自在に嵌合する可動バネ支持体との間に内装された剛性力が強い圧縮コイルバネであり、ハンドルハブ部材の指先状バネ押圧部で押し下げられることを特徴とする錠前のハンドル装置。【選択図】  図７
2005042300.tif 000002
【特許請求の範囲】
【請求項１】
内外のレバーハンドルをそれぞれ押し下げると、バネ部材のバネ力に抗して所定量回転するハンドルハブ部材を有する錠前のハンドル装置に於いて、前記内外のレバーハンドルは、ハンドルハブ部材に同軸上に設けられ、また、前記ハンドルハブ部材は、指先状バネ押圧部の適宜部位に錠箱の幅広側壁に沿って上下動するスライド駆動板に係合する係合部を有し、さらに、前記バネ部材は、錠箱に固定されたバネ支持固定体のバネ端支持壁と該バネ支持固定体の開口に摺動自在に嵌合する可動バネ支持体との間に内装された剛性力が強い圧縮コイルバネであり、前記ハンドルハブ部材の指先状バネ押圧部で押し下げられることを特徴とする錠前のハンドル装置。
【請求項２】
請求項１に於いて、圧縮コイルバネ５８の下端部５８ｂは、錠箱の後壁に固定されたバネ支持固定体５１の下部側に収納支持され、一方、その上端部５８ａ側は、バネの上端部を収納するキャップ状の可動バネ支持体５９に支持されていることを特徴とする錠前のハンドル装置。
【請求項３】
請求項１に於いて、スライド駆動板の一部は、錠箱の幅広側壁と、錠箱の後壁に固定された不完全ケース状のバネ支持固定体との間に介在し、前記バネ支持固定体は、スライド駆動板に対して添設状態に配設されていることを特徴とする錠前のハンドル装置。
【請求項４】
請求項１に於いて、錠前には、駆動用復帰バネのバネ力に抗してスライド駆動板が下降すると、該スライド駆動板に形成した係合駆動部４５に係合する施錠片用引き戻し片６３を有するサムターン部材６１が設けられていることを特徴とする錠前のハンドル装置。
【請求項５】
請求項１に於いて、錠前には、施錠片用保持機構の構成部材８５が設けられており、該保持機構の構成部材８５は、受け金具４側の第１永久磁石７と、この第１永久磁石７の極性に反発する第２永久磁石８６を有し、かつ、固定軸８７に軸支された揺動片８８と、この揺動片８８の他端部に設けられ、かつ、施錠片７１の歯車列７７と噛合する制御歯車８９に係脱する係合爪片９０と、前記揺動片８８を常時係合する方向へ付勢する保持バネ９１とから成ることを特徴とする錠前のハンドル装置。
【請求項６】
内外のレバーハンドルをそれぞれ押し下げると、バネ部材のバネ力に抗して所定量回転するハンドルハブ部材を有する錠前のハンドル装置に於いて、前記内外のレバーハンドルは、錠箱に縦方向に所要間隔を有して配設された内側ハンドルハブ部材及び外側ハンドルハブ部材にそれぞれ設けられ、また、前記内外のハンドルハブ部材は、指先状バネ押圧部の適宜部位に錠箱の幅広側壁に沿って上下動するスライド駆動板に個別的に係合する係合部３７．３７Ａをそれぞれ有し、さらに、前記バネ部材は、上下のバネ端支持壁を有する縦長状のバネ支持固定体と該バネ支持固定体に縦列状態に摺動自在に嵌合する上下の可動バネ支持体と前記上下のバネ端支持壁との間にそれぞれ個別的に内装され、かつ、前記内外のハンドルハブ部材の指先状バネ押圧部にそれぞれ押し下げられる剛性力が強い二個の圧縮コイルバネであることを特徴とする錠前のハンドル装置。
【請求項７】
請求項６に於いて、スライド駆動板４１Ａには、少なくとも内外のハンドルハブ部材３１ａ．３１ｂ用の被係合部４３．４７がそれぞれ形成されていることを特徴とする錠前のハンドル装置。
【請求項８】
請求項６に於いて、錠前は電気錠であり、錠箱２には、内側ハンドルハブ部材３１ａの軸受け部３２、外側ハンドルハブ部材３１ｂの軸受け部３２Ａ、サムターン部材６１ａのサムターンダルマ６２、シリンダ部材６１ｂのシリンダダルマ６２Ａは、縦列状態に配設されており、これに対応して１枚のスライド駆動板４１Ａには、内外のハンドルハブ部材３１ａ．３１ｂ用の被係合部４３．４７．サムターン部材６１ａ用の係合駆動部４５、シリンダ部材６１ｂ用の被係合受部４８がそれぞれ形成されていることを特徴とする錠前のハンドル装置。
【請求項９】
請求項６に於いて、錠前には、復帰バネ４６Ａのバネ力に抗してスライド駆動板４１Ａが下降すると、該スライド駆動板に形成した係合駆動部４５に係合する施錠片用引き戻し片６３を有するサムターン部材６１が設けられていることを特徴とする錠前のハンドル装置。
【請求項１０】
請求項６に於いて、一つのバネ支持固定体５１Ａの適宜箇所には、複数個の係合突片４９が形成され、これらの係合突片４９は、錠箱２の適宜箇所に形成した被係合部５０にそれぞれ係合することを特徴とする錠前のハンドル装置。
【請求項１１】
請求項６に於いて、錠前には施・解錠機構９５Ａが設けられ、該施・解錠機構９５Ａは、駆動源１０１の駆動力により揺動するロッキングバー１０４を備え、施錠時、前記ロッキングバーは、外側ハンドルハブ部材３１ｂをロックすることを特徴とする錠前のハンドル装置。
【発明の詳細な説明】
【０００１】
【発明の属する技術分野】
本発明は、建具の扉、制御盤の扉などに使用される錠前のハンドル装置に関し、特に電気錠のハンドル装置に適合する。
【０００２】
【従来の技術】
従来、例えば建具としての建物の出入口などに設けられた扉の自由端部に錠箱を固定的に取付け、該錠箱に内外のレバーハンドル用ドアハンドル装置を内装している。
【０００３】
錠前のレバーハンドル装置は、施錠片（例えばデッドボルト）を駆動する駆動部材を構成する軸受け部材（ハンドルハブ）に長杆状角軸を介して連結された内外のレバーハンドルと、これらのレバーハンドルを付勢する「ねじりバネ」或いは「板バネ」とから構成されている。前記ねじりバネの一端部は、軸受け部材に係合し、また前記板バネの一端部は軸受け部材に圧接している。
【０００４】
上記構成に於いて、普通一般に内外のレバーハンドルのいずれかを手で押し下げると、軸受け部材は、ねじりバネのバネ力に抗して所定量回動すると共に、錠箱内に設けられた作動片が作動し、その結果、ラッチボルト、デッドラッチ、デッドボルト等と称される施錠片が錠箱内へと後退動する。
【０００５】
ここで、特許文献として、（１）特許公開２００２−２３５４７１公報の図１のレバーハンドル復帰用の「環状のねじりバネ」、（２）特開平４−６６９８８号公報の第３図、第４図に記載の操作部材駆動軸が嵌入する駆動板を付勢する「環状のねじりバネ」、（３）特開平５−２２２８７２号公報の操作部材操作軸が嵌入するリトラクターを付勢する「環状のばね」を記載する。これらの先行技術文献から明らかなように、従来、錠前のレバーハンドル装置を構成するハンドル復帰用のバネ部材は、主に「環状のねじりバネ」であった。
【０００６】
ところで、長い間、手動でレバーハンドルをねじりバネの付勢力に抗して回動させると、「環状のねじりバネ」は、破損するという欠点がある。つまり、長期間使用すると、耐久性に問題があった。
【０００７】
【発明が解決しようとする課題】
本発明の第１の目的は、耐久性に優れた（長期間使用しても環状のねじりバネのように損傷しない意味合い）バネ部材を、合理的（安定的に作用するよう）に錠箱内に配設すること。第２の目的は、極力、部品点数を少なくし、組み合わせの容易化等を図ること。第３の目的は、ハンドルハブ部材を錠前が解錠状態になる方向へ回動すると、バネ部材が収縮すると共に、スライド駆動板も同時に作動すること。第４の目的は、部品点数や機構の多い電気錠の錠箱内に複数個のバネ部材を合理的に組み込むこと。第５の目的は、前記第４の目的を前提として、少なくとも個別的に内該のレバーハンドルを操作してもスライド駆動板がスムースに作動すること。第６の目的は、シリンダ部材を操作してもスライド駆動板が作動すること。第７の目的は、前記第４の目的を前提として、保持機構の構成部材又は／及び施・解錠機構を、極力、部品点数を少なくした状態で錠箱内に配設することである。
【０００８】
【課題を解決するための手段】
本発明の錠前のハンドル装置は、内外のレバーハンドルをそれぞれ押し下げると、バネ部材のバネ力に抗して所定量回転するハンドルハブ部材を有する錠前のハンドル装置に於いて、前記内外のレバーハンドルは、ハンドルハブ部材に同軸上に設けられ、また、前記ハンドルハブ部材は、指先状バネ押圧部の適宜部位に錠箱の幅広側壁に沿って上下動するスライド駆動板に係合する係合部を有し、さらに、前記バネ部材は、錠箱に固定されたバネ支持固定体のバネ端支持壁と該バネ支持固定体の開口に摺動自在に嵌合する可動バネ支持体との間に内装された剛性力が強い圧縮コイルバネであり、前記ハンドルハブ部材の指先状バネ押圧部で押し下げられることを特徴とする。
【０００９】
上記構成に於いて、圧縮コイルバネ５８の下端部５８ｂは、錠箱の後壁に固定されたバネ支持固定体５１の下部側に収納支持され、一方、その上端部５８ａ側は、バネの上端部を収納するキャップ状の可動バネ支持体５９に支持されていることを特徴とする。またスライド駆動板の一部は、錠箱の幅広側壁と、錠箱の後壁に固定された不完全ケース状のバネ支持固定体との間に介在し、前記バネ支持固定体は、スライド駆動板に対して添設状態に配設されていることを特徴とする錠前のハンドル装置。
【００１０】
また、本発明の錠前のハンドル装置は、内外のレバーハンドルをそれぞれ押し下げると、バネ部材のバネ力に抗して所定量回転するハンドルハブ部材を有する錠前のハンドル装置に於いて、前記内外のレバーハンドルは、錠箱に縦方向に所要間隔を有して配設された内側ハンドルハブ部材及び外側ハンドルハブ部材にそれぞれ設けられ、また、前記内外のハンドルハブ部材は、指先状バネ押圧部の適宜部位に錠箱の幅広側壁に沿って上下動するスライド駆動板に個別的に係合する係合部３７．３７Ａをそれぞれ有し、さらに、前記バネ部材は、上下のバネ端支持壁を有する縦長状のバネ支持固定体と該バネ支持固定体に縦列状態に摺動自在に嵌合する上下の可動バネ支持体と前記上下のバネ端支持壁との間にそれぞれ個別的に内装され、かつ、前記内外のハンドルハブ部材の指先状バネ押圧部にそれぞれ押し下げられる剛性力が強い二個の圧縮コイルバネであることを特徴とする。
【００１１】
上記構成に於いて、スライド駆動板４１Ａには、少なくとも内外のハンドルハブ部材３１ａ．３１ｂ用の被係合部４３．４７がそれぞれ形成されていることを特徴とする。
【００１２】
【発明の実施の形態】
以下、本発明を図示の実施の形態（第１実施例）より詳細に説明する。本発明の錠前のハンドル装置Ｘは、例えば電気錠の錠箱内に組み込まれている。
【００１３】
まず、環境部材から説明する。図１乃至図６に於いて、１は建具の扉で、この扉１の自由端部の内部空間には、電気錠の錠箱２が固定的に取付けられている。
【００１４】
一方、３は扉用の開口枠で、この開口枠３には、前記錠箱２に対応して受け金具４が固定的に設けられている。受け金具４は、トロヨケ５と、ストライク６を有する。本実施例では受け金具４の適宜箇所（例えば下部）に第１永久磁石７が固定されている。
【００１５】
錠箱２は、ケース身８と、ケース蓋９と、フロント１０とを備えている。錠箱２の細部の構成については割愛しているが、錠箱２には、組み込まれる各部材を案内するためのガイド孔、ガイド突起、窓などが形成されている。例えば、前記フロント１０には、進退動部材（通称「トリガー」）用の小孔、施錠片（例えばデッドボルト、デッドラッチ、ラッチボルトなど）用の窓１２、前記第１永久磁石７が臨む開口１３などが形成されている。
【００１６】
図１及び図２では、内外のレバーハンドルやハンドル軸受け丸座（通称「エスカチオン」）が示されている。ここでは、図１を基準にすると、１５が内側レバーハンドル、１６が内側ハンドル座、１７が外側レバーハンドル、１８が外側ハンドル座である。なお、錠前によっては、ハンドル座が不要な場合もある。
【００１７】
図３で示すように、内側レバーハンドル１５は長杆状のハンドル角軸１９を備えている。内外のレバーハンドル１５．１７は、前記ハンドル角軸１９を介して一体的に連結される。また前記外側ハンドル座１８は、錠箱の一側壁を貫通する２本のメネジ筒２０．２０を有する。これらのメネジ筒に内側ハンドル座１６の貫通小孔２１．２１を貫通して２本のオネジ（固着具）２２．２２が螺合する。したがって、内外のハンドル座１６．１８も一体的に結合する。
【００１８】
次に、本発明の錠前のレバーハンドル装置Ｘを説明する。ここで錠箱２の各部位に符号を付す。２５はケース身８の幅広側壁で、この幅広側壁２５はケース蓋９と対向する。２６はケース身８の後壁で、この後壁２６はフロント１０と対向する。２７はケース身８の下壁、２８は上壁である。本発明の錠前のレバーハンドル装置Ｘの主たる部材は、ケース身８の後壁２６側に設けられている。
【００１９】
まず、３１は内側・外側レバーハンドル１５．１７の各操作によって所定量回動するハンドルハブ部材である。ハンドルハブ部材３１は、レバーハンドルの角軸１９と協働回転する。
【００２０】
ハンドルハブ部材３１の各部位を説明する。３２は星型形状の軸孔３３を有する肉厚の軸受け部、３４は軸受け部３２の周壁の適宜部位から指先状に延びるバネ押圧部、３５は軸受け部３２の周壁の他の部位に突設された当たり突起、３６は当たり突起３５から周方向に多少の間隔を有して前記バネ押圧部の根基部にやや弧状に突設された当たり爪部、３７はバネ押圧部の先端部寄りの部位にケース身の幅広側壁２５に向かって突設された係合部としての押下げ突起である。
【００２１】
しかして、前記軸受け部３２に内側レバーハンドル１５の角軸１９が連係するように差し込まれる。角軸１９の断面形状は軸孔３３に対応する。人差し指状のバネ押圧部３４は、錠箱２の後壁２６にやや斜めに指向している。もちろん、バネ押圧部３４は、水平状態に延びていても良い。バネ押圧部３４の指先に相当する部分３４ａは、後述するバネ支持摺動体の頭部に圧接する。当り突起３５は圧縮コイルバネが伸長した時（レバーハンドルが水平状態になった時）に、錠箱２の中心部或いは中心部寄りの部位に固定されたピン状ストッパ３９に当接する。
【００２２】
これに対して、当たり爪部３６は圧縮コイルバネが収縮した時（レバーハンドルを押し下げた時）に、前記ストッパ３９に当接する。係合部としての押下げ突起３７は、スライド駆動板４１の上端部に形成した被係合部（切欠部）４３に係合する。
【００２３】
次に、４１は錠箱２の幅広側壁２５の内壁面とハンドルハブ部材３１との間に上下動自在に設けられた１枚のスライド駆動板である。スライド駆動板４１は、本実施例では錠箱２の幅広側壁２５及び後述のバネ支持固定体５１の一側壁に案内される。スライド駆動板４１には、係合部ないし被係合部４３が形成されている。
【００２４】
すなわち、４２は任意形状の幅広の垂直板部で、この垂直板部４２の上端部の適宜箇所には、押下げ突起３７が係合する切欠状の被係合部４３が形成されている。４４はストッパ３９と当接可能な係合アーム部で、この係合アーム部４４は垂直板部４２の左側端部からストッパ３９に接するようにして当たり突起３５の下方に潜り込んでいる。４５は係合アーム部４４よりも下位の部位の左側端部に手前側（ケース蓋９側の意味）に突設された係合駆動部（端面や突起）で、この係合駆動部４５は後述するサムターン部材６１を構成する施錠片用引き戻し片６３に係合可能である。４６は駆動板用復帰バネで、この実施例では、錠箱の右下端部に適宜に設けられた圧縮コイルバネを採用している。この圧縮コイルバネ４６は、後述する固定ケース体と可動バネ支持体との間に内装されたハンドルバブ部材復帰用圧縮コイルバネ５８よりもバネ力が弱い。
【００２５】
５１はスライド駆動板４１に対して多少の間隙を有して又は間隙を有しないで添設するように錠箱２の後壁２６に適宜固定された縦長状のバネ支持固定体５１である。このバネ支持固定体５１は、図３で示すように、切欠部を有する不完全なケース体であり、上壁と、ハンドルハブ部材３１側の左側壁５２の上端部と、ケース蓋側の側壁とを有せず、それぞれ適宜に開口（切欠も含む）している。例えばこのバネ支持固定体５１の右側壁５３が後壁２６の内壁面に固定されている。前述した幅広側壁２５側の一側壁５４は、スライド駆動板４１を案内することができるように面接触状態に対向している。ここで「不完全なケース体」とは、内側・外側レバーハンドル１５．１７のいずれかを押下げた時に於いて、ハンドルハブ部材３１がレバーハンドルの角軸１９と協働回転することを許容するような切欠ないし開口５５を有するバネ収納部材のことを言う。５６はバネ端支持壁（底壁）である。
【００２６】
５８は従来例の環状のねじりバネよりも剛性力が強い圧縮コイルバネである。この圧縮コイルバネ５８の下端部５８ｂは、バネ支持固定体５１の下部側に収納支持され、一方、その上端部５８ａ側は、バネの上端部を収納する可動バネ支持体５９に傾倒しないように支持されている。
【００２７】
可動バネ支持体５９は、図３で示すように、ハンドルハブ部材３１の指先３４ａが圧接するキャップ状の頭部５９ａと、この頭部５９ａの４つの角部から縦長状のバネ支持固定体５１の下部側の内部空間に差し込まれた複数本（合計４本）の摺接スポーク５９ｂとから成り、摺接スポーク５９ｂは、ハンドルハブ部材３１の回動に対応してバネ支持固定体５１の下部側の内壁に案内される。したがって、可動バネ支持体５９は不完全なケース体に摺動自在に嵌合する。
【００２８】
次に、サムターン部材６１について説明する。サムターン部材６１はスライド駆動板４１の駆動力により作動する。この第１実施例では、内側・外側レバーハンドル１５．１７が同軸上に設けられているが、サムターン部材６１の軸も、図示しないシリンダ部材の駆動軸と同軸上に設けられている。したがって、サムターン部材６１又は図示しない合鍵操作によるシリンダ部材の駆動軸によっても施錠片７１が後退動する。ここでは、少なくともサムターン部材６１の動きによって施錠片７１が後退動する場合を説明する。
【００２９】
サムターン部材６１は、サムターンダルマ６２、該サムターンダルマに一体的に設けられた施錠片用引き戻し片６３を有する。引き戻し片６３は、例えば左手の親指と人差し指を開いたイメージを彷彿させる形状に形成されている。すなわち、６４は親指状の第１係合部で、この第１係合部６４は、スライド駆動板４１の駆動突起４５と係合可能である。一方、施錠片７１の方向に延伸する人差し指状の第２係合部６５は、先端部に施錠片７１の傾斜状案内長孔７６と係合するピン状の引寄せ駆動部６５ａを有している。
【００３０】
次に施錠片７１について説明する。施錠片７１は、錠前の構造如何によってはラッチボルトでもいいが、本実施例では、錠前の一例としての電気錠の機能を考慮し、デッドラッチを採用している。具体的な構成について簡単に説明する。７２は、閉戸（閉扉）時、フロント１０の窓から突出する係合頭部、７３は錠箱内に常時位置する連設部、７４．７５は連設部を基準にして下方に延伸する対向側壁である。
【００３１】
係合頭部７２は、図１で示すように多少斜めに形成されている。係合頭部７２に連設する箱状連設部４３は空洞である。幅広側壁２５と対向する向こう側の対向側壁７４には、前述した傾斜案内長孔７６が形成されている。一方、手前側の対向側壁７５の下端部には、ラック状の歯車列７７が形成されている。
【００３２】
しかして、施錠片７１は、水平案内棒７９に案内される。前記水平案内棒７９は、錠箱２の中央部に固定された小支持板７８に後端部がカシメ固定され、かつ、先端部が前記箱状連設部４３の支持孔を貫通する。８０は前記水平案内棒７９に巻装された施錠片用の付勢バネである。施錠片７１は、サムターン部材６１が時計方向へ回転した場合には、付勢バネ８０のバネ力に抗して、かつ、単数又は複数の案内部材（例えば水平案内棒７９、錠箱の案内部など）に案内されながら後退する。
【００３３】
次に、本発明の付加的要件について説明する。８５は扉１を開いた時に施錠片７１の後退状態を保持する保持機構を構成する部材８５である。この施錠片用保持機構の構成部材８５は、施錠片７１の下方に配設され、本実施例では、受け金具４側の第１永久磁石７と、この第１永久磁石７の極性に反発する第２永久磁石８６を有し、かつ、固定軸８７に軸支された揺動片８８と、この揺動片８８の他端部に設けられ、かつ、前記施錠片７１の歯車列７７と噛合する制御歯車（例えばピニオン）８９に係脱する係合爪片９０と、前記揺動片８８を常時係合する方向へ付勢する保持バネ９１とから成る。
【００３４】
図２で示すように、第１永久磁石７と開口１３を介して対峙する第２永久磁石８６は、施錠時に極性（例えばＮ極とＮ極）に対応して反発するので、揺動片８８の係合爪片９０は、ピニオン８９から離れているが、扉１を開いた時には、前記第２永久磁石８６は第１永久磁石７から離れるので、揺動片８８は保持バネ９１により係合する方向へと回転する。その結果、前記係合爪片９０がピニオン８９に係合するので、施錠片７１の後退状態が保持機構の構成部材８５によって保持される。
【００３５】
なお、本実施例では、さらなる付加的要件として、施錠片７１の上方に配設され、施錠片７１用の施・解錠機構９５が設けられている。施・解錠機構９５は、閉戸時、突出した施錠片７１を直接又は間接的に施錠するものである。施錠片７１を施錠する手段は色々と考えられるが、構成する部品点数を少なくする一例として、受け金具４側（ストライク又は戸枠）に衝突して錠箱内に後退動する進退動片（通称「トリガー」）９６と、この進退動片９６が後退動によって先端部の係合部９７が施錠片７１の連設部７３に係合するロッキングピース９８と、このロッキングピース９８を軸支する枢軸９９に中央部が巻装され、かつ、該ロッキングピース９８を常時係合解除の方向へと付勢する解錠バネ１００とから成る。符号１０１は電気錠に必要な駆動源（ソレノイド）である。
【００３６】
【実施例】
この欄では、本発明の第２実施例を説明する。なお、この第２実施例の説明にあたって、前記第１実施例と同一の部分には、同一又は同様の符号を付し、重複する説明を省略する。また、主な構成上の相違点と付随的な相違点を区分けして説明する。
【００３７】
まず、第１実施例と主な構成上の相違点を列挙する。
（１）内外のレバーハンドル１５．１７は、錠箱２に縦方向に所要間隔を有して配設された内側ハンドルハブ部材３１ａ及び外側ハンドルハブ部材３１ｂにそれぞれ設けられている点。
（２）サムターン部材６１ａと、シリンダ部材６１ｂは、前記内外のハンドルハブ部材３１ａ．３１ｂと同様に錠箱２に縦方向に所要間隔を有して配設されている点。本実施例では、内側ハンドルハブ部材３１ａの軸受け部３２、外側ハンドルハブ部材３１ｂの軸受け部３２Ａ、サムターン部材６１ａのサムターンダルマ６２、シリンダ部材６１ｂのシリンダダルマ６２Ａは、略縦一列状態に配設されている。
（３）内外のハンドルハブ部材３１ａ．３１ｂは、指先状バネ押圧部３４．３４Ａの適宜部位に、錠箱２の幅広側壁２５に沿って上下動するスライド駆動板４１Ａに個別的に係合する押し下げ突起３７．３７Ａをそれぞれ有する点。
（４）前記スライド駆動板４１Ａは、縦方向にさらに延伸し、その幅広中央部４１ａには、前記外側ハンドルハブ部材３１ｂの指先状バネ押圧部３４Ａの押し下げ突起３７Ａと係合する被係合部（切欠窓、係合面、係合突起など）４７が形成されている点。
（５）また、スライド駆動板４１Ａは、その幅広中央部４１ａから下方へと伸長する細長状のアーム部４１ｂを有し、アーム部４１ｂの下部には、一部逃がし用小切欠を有する被係合受部（例えば水平板部）４８が設けられている点。
（６）また、スライド駆動板４１Ａの被係合受部４８に、前記シリンダダルマ６２Ａの一端部に突設した係合突起６６が係合する点。
（７）また、スライド駆動板４１Ａの細長状アーム部４１ｂの適宜部位にバネ端部用の受けピン６７を設け、一方、錠箱２の幅広側壁２５の下端部に復帰バネ４６Ａ用の支持ピン６８を固定し、該支持ピン６８に復帰バネ４６Ａの中央部を設けた点。
（８）前記内外のハンドルハブ部材３１ａ．３１ｂの指先状バネ押圧部３４．３４Ａは、錠箱２の幅広側壁２５に沿って上下動するスライド駆動板４１Ａに個別的に係合する押し下げ突起３７．３７Ａをそれぞれ有する点。
（９）また、内外のハンドルハブ部材３１ａ。３１ｂの前記押し下げ突起３７．３７Ａは、キャップ状の二個の可動バネ支持体５９．５９Ａをそれぞれ介して剛性力が強い二個の圧縮コイルバネ５８．５８Ａをそれぞれ押し下げる点。
（１０）バネ支持固定体５１Ａは、第１実施例よりも長く形成され、上方と、下方に底壁に相当するバネ端支持壁５６．５６Ａと、上下の開口５５．５５Ａなどを有し、前記二個の圧縮コイルバネ５８．５８Ａは、前記バネ端支持壁５６．５６Ａにそれぞれ下端が支持された状態で、前記開口５５．５５Ａの収納部に組み込まれている点。
（１１）しかも、前記二個の圧縮コイルバネ５８．５８Ａは、前記上下の開口５５．５５Ａに縦列状態に摺動自在に嵌合する分離した前記二個の可動バネ支持体５９．５９Ａとの間にそれぞれ個別的に内装され、かつ、前記内外のハンドルハブ部材の各指先状バネ押圧部３４．３４Ａにそれぞれ押し下げられる合計２個の圧縮コイルバネである点。
（１２）一つのバネ支持固定体５１Ａの適宜箇所には、複数個の係合突片４９が形成され、これらの係合突片４９は、錠箱２の幅広側壁又は／及び後壁の適宜箇所に形成した被係合部（切欠窓、切欠部など）５０にそれぞれ係合する点である。
【００３８】
次に、第１実施例に対する付随的な構成上の相違点を列挙する。
（ａ）外側ハンドルハブ部材３１ｂに対するピン状の第２ストッパ３９Ａが錠箱２の中央部に設けられている点。
（ｂ）施・解錠機構９５Ａは、駆動源（ソレノイド）１０１の作動杆１０２に一端部（上端部）が軸支され、かつ、中央部（中央部寄りの部位も含まれる）が錠箱２の固定枢軸１０３に軸支されていると共に、その他端部（下端部）が外側ハンドルハブ部材３１ｂの当たり突起３５Ａに係合する揺動ロッキングバー１０４を備えている点。したがって、施錠片７１は、外側ハンドルハブ部材３１ｂの施錠を介して間接的にロックされている点である。
【００３９】
上記構成に於いて、サムターン部材６１ａは、スライド駆動板４１Ａに関係なく単独で回動することができる。つまり、図示しないサムターンの摘み部を施・解錠方向へ回した場合には、スライド駆動板４１Ａに関係なく、サムターン部材６１ａは施錠方向又は解錠方向へと回転する。その結果、デッドラッチ７１は進退動する。
【００４０】
また、１枚のスライド駆動板４１Ａには、内外のハンドルハブ部材３１ａ．３１ｂ用の被係合部４３．４７．サムターン部材６１ａ用の係合駆動部４５、シリンダ部材６１ｂ用の被係合受部４８がそれぞれ形成されているから、内側ハンドルハブ部材３１ａ．外側ハンドルハブ部材３１ｂ、それにシリンダ部材６１ｂがそれぞれ個別的に解錠方向へ回動すると、スライド駆動板４１Ａは下方に所定量下降し、該スライド駆動板４１Ａに連動してサムターン部材６１ａが時計方向に回動し、その結果、デッドラッチ７１は後退する。なお、扉１を開いた場合には、後退したデッドラッチ７１は保持機構を構成する部材８５によって保持され、一方、扉１を閉じた場合には、施・解錠機構９５Ａによって進出したデッドラッチ７１は間接的にロックされる。
【００４１】
【発明の効果】
以上の説明から明らかなように、本発明にあっては、次に列挙するような効果がある。
（１）耐久性に優れた（長期間使用しても環状のねじりバネのように損傷しない意味合い）バネ部材を、合理的（安定的に作用するよう）に錠箱内に配設することができる。
（２）極力、部品点数を少なくしたので、組み合わせの容易化等を図ることができる。
（３）ハンドルハブ部材を錠前が解錠状態になる方向へ回動すると、バネ部材が収縮すると共に、スライド駆動板も同時に作動する。
（４）部品点数や機構の多い電気錠の錠箱内に複数個のバネ部材を合理的に組み込むことができる。
（５）その他、実施例によっては、少なくとも個別的に内該のレバーハンドルを操作してもスライド駆動板がスムースに作動する。また、保持機構の構成部材又は／及び施・解錠機構を、極力、部品点数を少なくした状態で錠箱内に配設することができる。
【図面の簡単な説明】
図１乃至図６は本発明の第１実施例を示す各説明図。図７乃至図１５は本発明の第２実施例を示す各説明図。
【図１】平面から見た実施環境の概略説明図。
【図２】第１実施例の錠前の内部構造の一例を示す概略説明図。
【図３】主要部材を中心とする分解斜視図（但し、スライド駆動板は省略）。
【図４】スライド駆動板と他の部材との関係を示す説明図。
【図５】図２の主要部の作動状態の説明図。
【図６】図２の６−６線概略断面図。
【図７】第２実施例の錠前の内部構造の一例を示す概略説明図。
【図８】スライド駆動板の斜視図。
【図９】スライド駆動板と各部材との係合関係を示す概略説明図。
【図１０】バネ支持固定体の斜視図。
【図１１】バネ支持固定体と錠箱との固定関係の一例を示す概略説明図。
【図１２】外側ハンドルハブの斜視図。
【図１３】シリンダ部材とスライド駆動板との関係を示す斜視図。
【図１４】スライド駆動板と他の部材との関係を示す説明図。
【図１５】シリンダ部材を解錠方向へ回した場合の概略説明図。
【符号の説明】
Ｘ…錠前のハンドル装置、１…扉、２…錠箱、３…開口枠、４…受け金具、１５…内側レバーハンドル、１７…外側レバーハンドル、２５…幅広側壁、２６…後壁、３１…ハンドルハブ部材、３１ａ…内側ハンドルハブ部材、３１ｂ…外側ハンドルハブ部材、３２．３２Ａ…軸受け部、３３…軸孔、３４．３４Ａ…バネ押圧部、３５．３５Ａ…当り突起、３６…当たり爪部、３７．３７Ａ…押下げ突起、３９．３９Ａ…ストッパ、４１．４１Ａ…スライド駆動板、４３．４７．５０…被係合部、４４…係合アーム部、４５…係合駆動部、４６．４６Ａ…復帰バネ、４８…係合受部、４９…係合突片、５１．５１Ａ…バネ支持固定体、５２…左側壁、５３…右側壁、５４…一側壁、５５．５５Ａ…開口、５６．５６Ａ…バネ端支持壁、５８．５８Ａ…圧縮コイルバネ、５９．５９Ａ…可動バネ支持体、６１…サムターン部材、６１ａ…サムターン部材、６１ｂ…シリンダ部材、６３…施錠片用引き戻し片、６６…被係合突起、６７…受けピン、６８…支持ピン、７１…施錠片、８５…保持機構の構成部材、９５．９５Ａ…施・解錠機構、９６…進退動片、９８…ロッキングピース、１０１…駆動源、１０２…作動杆、１０４…ロッキングバー。
【図１】
2005042300.tif 000003
【図２】
2005042300.tif 000004
【図３】
2005042300.tif 000005
【図４】
2005042300.tif 000006
【図５】
2005042300.tif 000007
【図６】
2005042300.tif 000008
【図７】
2005042300.tif 000009
【図８】
2005042300.tif 000010
【図９】
2005042300.tif 000011
【図１０】
2005042300.tif 000012
【図１１】
2005042300.tif 000013
【図１２】
2005042300.tif 000014
【図１３】
2005042300.tif 000015
【図１４】
2005042300.tif 000016
【図１５】
2005042300.tif 000017